(57)【要約】      （修正有）【課題】領収書等の大量のシート状物を区分け整理して揃えて収納でき、収納物のボリュームの大小によってバッグの厚さが変化しても、バッグを閉じた状態に簡単かつ確実に保持できるバッグを提供する。【解決手段】略矩形状の硬めの表面部１と裏面部２の間に仕切りシート部４と蛇腹状のマチ部５と蛇腹状の底部によって蛇腹構造の複数の収納ポケット３を設け、裏面部２に折り曲げ可能な開閉カバー部７を連設してバッグ本体Ｂを構成し、このバッグ本体を閉じた状態に保持するための伸縮性を有する輪状の閉じ紐１２を裏面部の外側面に取付ける。【選択図】図１
0003199398.tif 000002
【実用新案登録請求の範囲】
【請求項１】
硬めの表面部と裏面部の対向面の間に上方を出し入れ口として開口した複数の収納ポケットを設け、この複数の収納ポケットは、前記表面部と裏面部の対向面の間を複数の収納ポケット空間に区分けする仕切りシート部と、前記表面部と裏面部の対向面の間に介装され、該表裏面部の対向方向に伸縮可能に取付けられた蛇腹状のマチ部と底部から成り、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設した構造のバッグ。
【請求項２】
硬めの表面部と裏面部の対向面の間に上方を出し入れ口として開口した複数の収納ポケットを設け、この複数の収納ポケットは、前記表面部と裏面部の対向面の間を複数の収納ポケット空間に区分けする仕切りシート部と、前記表面部と裏面部の対向面の間に介装され、該表裏面部の対向方向に伸縮可能に取付けられた蛇腹状のマチ部と底部から成り、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設してバッグ本体を構成し、更に、このバッグ本体の前記裏面部に伸縮性を有する輪状の閉じ紐を該裏面部の外側面から露出した状態に取付け、この閉じ紐は前記開閉カバー部を閉じた態様の前記バッグ本体の外周部を該閉じ紐が伸びた状態に捲回することによって、バッグ本体を閉じた状態に保持できるようにした構造のバッグ。
【請求項３】
略矩形状の硬めの表面部と裏面部の対向面の間に上方を出し入れ口として開口した複数の収納ポケットを設け、この複数の収納ポケットは、前記表面部と裏面部の対向面の間を複数の収納ポケット空間に区分けする略矩形状の仕切りシート部と、前記表面部と裏面部の対向面の間に介装され、該表裏面部の対向方向に伸縮可能に取付けられた蛇腹状のマチ部と底部から成り、この仕切りシート部で区分けされた各収納ポケット空間が該表裏面部の対向方向に拡縮可能となるように各仕切りシート部の両側端部を蛇腹状のマチ部に取付けると共に各仕切りシート部の下端部を前記マチ部とは分離して形成した蛇腹状の底部に取付け、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設した構造のバッグ。
【請求項４】
略矩形状の硬めの表面部と裏面部の対向面の間に上方を出し入れ口として開口した複数の収納ポケットを設け、この複数の収納ポケットは、前記表面部と裏面部の対向面の間を複数の収納ポケット空間に区分けする略矩形状の仕切りシート部と、前記表面部と裏面部の対向面の間に介装され、該表裏面部の対向方向に伸縮可能に取付けられた蛇腹状のマチ部と底部から成り、この仕切りシート部で区分けされた各収納ポケット空間が該表裏面部の対向方向に拡縮可能となるように各仕切りシート部の両側端部を蛇腹状のマチ部に取付けると共に各仕切りシート部の下端部を前記マチ部とは分離して形成した蛇腹状の底部に取付け、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設してバッグ本体を構成し、更に、このバッグ本体の前記裏面部の略中間位置に伸縮性を有する輪状の閉じ紐を該裏面部の外側面から露出した状態に取付け、この閉じ紐は前記開閉カバー部を閉じた態様の前記バッグ本体の外周部を該閉じ紐が伸びた状態に捲回することによって、バッグ本体を閉じた状態に保持できるようにした構造のバッグ。
【請求項５】
略矩形状の硬めの前記表裏面部の両側辺を短辺、この両側辺と交わる上下辺を両側辺より長い長辺とした縦幅に比して横幅を長くした略長方形状とし、収納される物のボリュームが小さく前記バッグ本体の厚さが薄い場合は前記閉じ紐を表裏面部の両側辺と交わる長辺方向にして前記バッグ本体の外周部を該閉じ紐が伸びた状態に捲回し、収納される物のボリュームによって前記バッグ本体の厚さが厚くなった場合は前記閉じ紐を表裏面部の上下辺と交わる短辺方向にして前記バッグ本体の外周部を該閉じ紐が伸びた状態に捲回することによって、バッグ本体を閉じた状態に保持できるようにした請求項４に記載のバッグ。
【請求項６】
前記表面部は該表面部と略同形状の硬めの板状芯材を合成繊維布やビニールや皮革などバッグの表面生地素材として適した適宜の表面生地材で固定状態に被覆して形成し、前記裏面部は前記表面部の板状芯材と略同形状の硬めの板状芯材を合成繊維布やビニールや皮革などバッグの表面生地素材として適した適宜の表面生地材で固定状態に被覆して形成し、前記開閉カバー部は前記裏面部の前記表面生地材を延ばして一連形成し、前記仕切りシート部は可撓性を有する透明又は半透明のプラスチック材で形成し、蛇腹状のマチ部と底部は前記仕切りシート部と熱溶着可能な可撓性を有する透明又は半透明のプラスチック材で形成した請求項１から４のいずれかの請求項に記載のバッグ。
【請求項７】
前記裏面部の略中間位置に貫通穴を形成し、伸縮性を有する一本の紐が該裏面部の外側面から露出した輪状を形成するよう前記貫通穴を通して該紐の両端部を該裏面部の内側に露出させ、内側に露出した該紐の両端部が前記貫通穴から抜けないよう該紐の両端部に係止部を形成することによって、前記裏面部の略中間位置に伸縮性を有する輪状の閉じ紐を該裏面部の外側面から露出した状態に取付けた請求項２又は４に記載のバッグ。
【請求項８】
前記各仕切りシート部の上部に見出し表示部を互いに横方向にずらしてそれぞれ突出形成した請求項１から４のいずれかの請求項に記載のバッグ。
【請求項９】
前記表面部の外側面に縦方向に延ばした面ファスナー又は縦方向に複数の面ファスナーを取付け、前記開閉カバー部の先端側の内側面に前記面ファスナーと着脱可能な面ファスナーを取付けた請求項１又は３に記載のバッグ。
【請求項１０】
前記表面部の外側面に縦方向に複数の雄又は雌のホックを取付け、前記開閉カバー部の先端側の内側面に前記ホックと着脱可能な雄又は雌のホックを取付けた請求項１又は３に記載のバッグ。
【考案の詳細な説明】
【技術分野】
【０００１】
本考案はバッグに関し、特に領収書等のシート状物を区分けして大量に収納するのに適したバッグに関するものである。
【背景技術】
【０００２】
バッグに蛇腹状のマチを採用し、バッグの内部を複数の仕切りで区画した、ポーチと称される携帯に便利な小形バッグが公開されている（特許文献１）。この公知のバッグは、一枚の透明なプラスチックシートを略Ｕ字状に曲げることによりバッグの前胴部、底部及び後胴部を一連に形成し、前胴部と後胴部の間に蛇腹状のマチを取付け、バッグの内部を複数の仕切りで区画し、この仕切りの左右両端をそれぞれのマチの折り目に接続したものである。
【０００３】
しかし、このバッグは底部が蛇腹状になっていないため、上部の開口部側のみ大きく開き、底部を含めた上下部の収納部が均等に拡縮しない。このため前後に重ねて収納した大量のシート状物が不揃いになってしまい、収納力も劣るものである。
【先行技術文献】
【特許文献】
【０００４】
【特許文献１】実用新案登録第３０６４６１６号公報
【考案の概要】
【考案が解決しようとする課題】
【０００５】
本考案は、領収書等の大量のシート状物を区分け整理して揃えて収納でき、収納される物のボリュームの大小にも対処できるバッグを提供することを課題とする。
【０００６】
また、本考案は、収納される物のボリュームの大小によってバッグの厚さが厚くなったり、薄くなったりしても、このバッグを閉じた状態に簡単かつ確実に保持できるバッグを提供することを課題とする。
【０００７】
また、本考案は、区分けして収納した領収書等のシート状物を見つけやすいバッグを提供することを課題とする。
【課題を解決するための手段】
【０００８】
前記した課題を解決するため、本考案（請求項１の考案）は、硬めの表面部と裏面部の対向面の間に上方を出し入れ口として開口した複数の収納ポケット（例えば、一週間分の７個の収納ポケット）を設け、この複数の収納ポケットは、前記表面部と裏面部の対向面の間を複数の収納ポケット空間に区分けする仕切りシート部と、前記表面部と裏面部の対向面の間に介装され、該表裏面部の対向方向に伸縮可能に取付けられた蛇腹状のマチ部と底部から成り、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設した構造のバッグを提供する。
【０００９】
また、前記した課題を解決するため、本考案（請求項２の考案）は、硬めの表面部と裏面部の対向面の間に上方を出し入れ口として開口した複数の収納ポケット（例えば、一週間分の７個の収納ポケット）を設け、この複数の収納ポケットは、前記表面部と裏面部の対向面の間を複数の収納ポケット空間に区分けする仕切りシート部と、前記表面部と裏面部の対向面の間に介装され、該表裏面部の対向方向に伸縮可能に取付けられた蛇腹状のマチ部と底部から成り、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設してバッグ本体を構成し、更に、このバッグ本体の前記裏面部に伸縮性を有する輪状の閉じ紐を該裏面部の外側面から露出した状態に取付け、この閉じ紐は前記開閉カバー部を閉じた態様の前記バッグ本体の外周部を該閉じ紐が伸びた状態に捲回することによって、バッグ本体を閉じた状態に保持できるようにした構造のバッグを提供する。
【００１０】
また、前記した課題を解決するため、本考案（請求項３の考案）は、略矩形状の硬めの表面部と裏面部の対向面の間に上方を出し入れ口として開口した複数の収納ポケット（例えば、一週間分の７個の収納ポケット）を設け、この複数の収納ポケットは、前記表面部と裏面部の対向面の間を複数の収納ポケット空間に区分けする略矩形状の仕切りシート部と、前記表面部と裏面部の対向面の間に介装され、該表裏面部の対向方向に伸縮可能に取付けられた蛇腹状のマチ部と底部から成り、この仕切りシート部で区分けされた各収納ポケット空間が該表裏面部の対向方向に拡縮可能となるように各仕切りシート部の両側端部を蛇腹状のマチ部に取付けると共に各仕切りシート部の下端部を前記マチ部とは分離して形成した蛇腹状の底部に取付け、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設した構造のバッグを提供する。
【００１１】
また、前記した課題を解決するため、本考案（請求項４の考案）は、略矩形状の硬めの表面部と裏面部の対向面の間に上方を出し入れ口として開口した複数の収納ポケット（例えば、一週間分の７個の収納ポケット）を設け、この複数の収納ポケットは、前記表面部と裏面部の対向面の間を複数の収納ポケット空間に区分けする略矩形状の仕切りシート部と、前記表面部と裏面部の対向面の間に介装され、該表裏面部の対向方向に伸縮可能に取付けられた蛇腹状のマチ部と底部から成り、この仕切りシート部で区分けされた各収納ポケット空間が該表裏面部の対向方向に拡縮可能となるように各仕切りシート部の両側端部を蛇腹状のマチ部に取付けると共に各仕切りシート部の下端部を前記マチ部とは分離して形成した蛇腹状の底部に取付け、この蛇腹状のマチ部と底部を介して各仕切りシート部が該仕切りシート部で区分けされた各収納ポケット空間を該表裏面部の対向方向に拡縮可能となるように該表裏面部の対向面の間に介装された蛇腹構造にし、前記裏面部の上部側に前記収納ポケットの出し入れ口側と前記表面部の外側面を一連に覆う折り曲げ可能な開閉カバー部を連設してバッグ本体を構成し、更に、このバッグ本体の前記裏面部の略中間位置に伸縮性を有する輪状の閉じ紐を該裏面部の外側面から露出した状態に取付け、この閉じ紐は前記開閉カバー部を閉じた態様の前記バッグ本体の外周部を該閉じ紐が伸びた状態に捲回することによって、バッグ本体を閉じた状態に保持できるようにした構造のバッグを提供する。
【００１２】
また、前記した課題を解決するため、本考案（請求項５の考案）は、略矩形状の硬めの前記表裏面部の両側辺を短辺、この両側辺と交わる上下辺を両側辺より長い長辺とした縦幅に比して横幅を長くした略長方形状とし、収納される物のボリュームが小さく前記バッグ本体の厚さが薄い場合は前記閉じ紐を表裏面部の両側辺と交わる長辺方向にして前記バッグ本体の外周部を該閉じ紐が伸びた状態に捲回し、収納される物のボリュームによって前記バッグ本体の厚さが厚くなった場合は前記閉じ紐を表裏面部の上下辺と交わる短辺方向にして前記バッグ本体の外周部を該閉じ紐が伸びた状態に捲回することで、バッグの厚さが変化しても、バッグ本体を閉じた状態に簡単かつ確実に保持できるバッグを提供する。
【００１３】
また、前記した課題を解決するため、本考案（請求項６の考案）は、前記表面部は該表面部と略同形状の硬めの板状芯材を合成繊維布やビニールや皮革などバッグの表面生地素材として適した適宜の表面生地材で固定状態に被覆して形成し、前記表面生地材で被覆された板状芯材の周縁部を縁取りテープでくるみ逢着して前記板状芯材と表面生地材を固定し、前記裏面部は前記表面部の板状芯材と略同形状の硬めの板状芯材を合成繊維布やビニールや皮革などバッグの表面生地素材として適した適宜の表面生地材で固定状態に被覆して形成し、前記開閉カバー部は前記裏面部の前記表面生地材を延ばして一連形成し、一連形成した裏面部と開閉カバー部の周縁部を縁取りテープでくるみ逢着して前記板状芯材を裏面部の位置に固定し、前記仕切りシート部は可撓性を有する透明又は半透明のプラスチック材で形成し、蛇腹状のマチ部と底部は前記仕切りシート部と熱溶着可能な可撓性を有する透明又は半透明のプラスチック材で形成したバッグを提供する。
【００１４】
また、前記した課題を解決するため、本考案（請求項７の考案）は、前記裏面部の略中間位置に貫通穴を形成し、伸縮性を有する一本の紐が該裏面部の外側面から露出した輪状を形成するよう前記貫通穴を通して該紐の両端部を該裏面部の内側に露出させ、内側に露出した該紐の両端部が前記貫通穴から抜けないよう該紐の両端部に係止部を形成することによって、前記裏面部の略中間位置に伸縮性を有する輪状の閉じ紐を該裏面部の外側面から露出した状態に取付けたバッグを提供する。
【００１５】
また、前記した課題を解決するため、本考案（請求項８の考案）は、各仕切りシート部の上部に見出し表示部を互いに横方向にずらしてそれぞれ突出形成したバッグを提供する。
【考案の効果】
【００１６】
本考案のバッグによれば、複数の収納ポケットを蛇腹状のマチ部と底部をもつ蛇腹構造にしてあり、各収納ポケットが上下部に均等に拡縮する構造であるため、領収書等の大量のシート状物を区分け整理して揃えて収納でき、収納される物のボリュームの大小にも対処できる。
【００１７】
また、請求項２、４又は５の本考案のバッグによれば、伸縮性を有する輪状の閉じ紐でバッグ本体の外周部を捲回するだけで、収納される物のボリュームの大小によってバッグの厚さが厚くなったり、薄くなったりしても、このバッグを閉じた状態に簡単かつ確実に保持できる。特に、伸縮性を有する輪状の閉じ紐であれば、バッグ本体が略長方形状の場合、収納される物のボリュームが小さくバッグ本体の厚さが薄い場合はバッグ本体の外周部をいわゆる長辺方向に閉じ紐で捲回し、収納される物のボリュームが大きくバッグ本体の厚さが厚くなった場合はバッグ本体の外周部をいわゆる短辺方向に閉じ紐で捲回することで、バッグの厚さが変化しても、そして閉じた開閉カバー部の先端部が表面部の外側面の下端部より上方にずれても、バッグ本体を閉じた状態に簡単かつ確実に保持できる。
【００１８】
また、請求項６又は８の本考案のバッグによれば、仕切りシート部、蛇腹状のマチ部と底部を透明なプラスチック材で形成し、蛇腹構造の複数の収納ポケット内が外部から透視できるため、また、各仕切りシート部の上部に見出し表示部を突出形成してあるため、区分けして収納した領収書等のシート状物を見つけやすい。
【図面の簡単な説明】
【００１９】
【図１】バッグを開けた状態を示す斜視図である。
【図２】図１の中央拡大縦断面図である。
【図３】バッグを閉じた状態を示す斜視図である。
【考案を実施するための形態】
【００２０】
以下、本考案のバッグを添付の図面に基づき説明する。図１〜図３に示した本考案のバッグは、略矩形状（略長方形状）の硬めの表面部１と裏面部２の対向面の間に上方を出し入れ口として開口した複数の収納ポケット３（好ましくは、図２に示したように一週間分の７個の収納ポケット３）を設け、この複数の収納ポケット３は、表面部１と裏面部２の対向面の間を複数の収納ポケット空間（７個の収納ポケット空間）に区分けする略矩形状（略長方形状）の仕切りシート部４と、表面部１と裏面部２の対向面の間に介装され、該表裏面部１，２の対向方向に伸縮可能に取付けられた蛇腹状のマチ部５と底部６から成り、この仕切りシート部４で区分けされた各収納ポケット空間が該表裏面部１，２の対向方向に拡縮可能となるように各仕切りシート部４の両側端部を蛇腹状のマチ部５に取付けると共に各仕切りシート部４の下端部を前記マチ部５とは分離して形成した蛇腹状の底部６に取付け、この蛇腹状のマチ部５と底部６を介して各仕切りシート部４が該仕切りシート部で区分けされた各収納ポケット空間を該表裏面部１，２の対向方向に拡縮可能となるように該表裏面部１，２の対向面の間に介装された蛇腹構造にし、前記裏面部２の上部側に前記収納ポケット３の出し入れ口側と前記表面部１の外側面を一連に覆う折り曲げ可能な開閉カバー部７を連設してバッグ本体Ｂを構成している。このバッグ本体Ｂを閉じた状態に保持する伸縮性を有する輪状の閉じ紐１２については後で述べる。
【００２１】
前記表面部１は該表面部と略同形状の硬めの板状芯材１ａを合成繊維布やビニールや皮革などバッグの表面生地素材として適した適宜の表面生地材１ｂで被覆して形成し、前記表面生地材１ｂで被覆された板状芯材１ａの周縁部を縁取りテープ（図示してない）でくるみ逢着して前記板状芯材１ａと表面生地材１ｂを固定してある。前記裏面部２は前記表面部１の板状芯材１ａと略同形状の硬めの板状芯材２ａを合成繊維布やビニールや皮革などバッグの表面生地素材として適した適宜の表面生地材２ｂで被覆して形成し、前記開閉カバー部７は前記裏面部２の前記表面生地材２ｂを延ばして一連形成し、一連形成した裏面部２と開閉カバー部７の周縁部を縁取りテープ（図１に符号９で示した。）でくるみ逢着して前記板状芯材２ａを裏面部２の位置に固定してある。
【００２２】
前記仕切りシート部４は可撓性を有する透明又は半透明のプラスチック材で形成し、蛇腹状のマチ部５と底部６は前記仕切りシート部４と熱溶着可能な可撓性を有する透明又は半透明のプラスチック材で形成してある。
【００２３】
各仕切りシート部４の両側端部を蛇腹状のマチ部５に熱溶着によって取付けると共に各仕切りシート部４の下端部を蛇腹状の底部６に熱溶着によって取付けてある。この蛇腹状のマチ部５と蛇腹状の底部６は分離して形成してある。蛇腹状のマチ部５の表裏面部１，２への取付けは、前記した縁取りテープのくるみ逢着によって表裏面部１，２の縁部（両側辺の縁部）に取付けてある。同様に、蛇腹状の底部６の表裏面部１，２への取付けは、前記した縁取りテープのくるみ逢着によって表裏面部１，２の縁部（下辺の縁部）に取付けてある。
【００２４】
前記した開閉カバー部７は全体を折り曲げ可能な柔らかな素材で形成しても良いし、少なくとも収納ポケット３の出し入れ口側を折り曲げ状態に覆う部分を折り曲げ可能な柔らかな素材で形成しても良い。
【００２５】
各仕切りシート部４の上部に見出し表示部１０を互いに横方向にずらしてそれぞれ突出形成してある。この見出し表示部１０は、この見出し表示部１０内に挿入した見出し表示紙の紙面を挟持可能な透明な挟持面部を備えている。
【００２６】
更に、図１〜図３に示した本考案のバッグは、バッグ本体Ｂの裏面部２の略中間位置に伸縮性を有する輪状の閉じ紐１２を該裏面部２の外側面から露出した状態に取付け、この閉じ紐１２は開閉カバー部７を閉じた態様のバッグ本体Ｂの外周部を閉じ紐１２が伸びた状態に捲回することによって、バッグ本体Ｂを閉じた状態に保持できるようにしてある。
【００２７】
この伸縮性を有する輪状の閉じ紐１２は、図２に示したように、前記裏面部２の略中間位置に貫通穴１３を形成し、伸縮性を有する一本の紐が該裏面部２の外側面から露出した輪状を形成するよう前記貫通穴１３を通して該紐の両端部を該裏面部２の内側に露出させ、内側に露出した該紐の両端部が前記貫通穴１３から抜けないよう該紐の両端部に係止部１４を形成することによって、前記裏面部２の略中間位置に該裏面部２の外側面から露出した状態に取付けられている。図２の実施例では、紐の端部をスリーブに挿入し、このスリーブを圧着して係止部１４を形成してある。
【００２８】
図２に示したように、裏面部２の内側面の下部に上方を開口した小ポケット１５を設け、この小ポケット１５内に紐の両端部の係止部１２が収納されるようにしてある。
【００２９】
図面に示した本考案のバッグは、略矩形状の硬めの表裏面部１，２の両側辺を短辺、この両側辺と交わる上下辺を両側辺より長い長辺とした縦幅に比して横幅を長くした略長方形状にしてある。図３の（Ａ）に示したように、収納される物のボリュームが小さくバッグ本体Ｂの厚さが薄い場合は閉じ紐１２を表裏面部１，２の両側辺と交わる長辺方向にしてバッグ本体Ｂの外周部を該閉じ紐１２が伸びた状態に捲回し、図３の（Ｂ）に示したように、収納される物のボリュームが大きくバッグ本体Ｂの厚さが厚くなった場合は閉じ紐１２を表裏面部１，２の上下辺と交わる短辺方向にしてバッグ本体Ｂの外周部を該閉じ紐１２が伸びた状態に捲回することで、バッグの厚さが変化しても、そして閉じた開閉カバー部７の先端部が表面部１の外側面の下端部より上方にずれても、バッグ本体Ｂを閉じた状態に簡単かつ確実に保持できるようにしてある。
【００３０】
なお、図示してないが、伸縮性を有する輪状の閉じ紐１２に変えて、前記表面部１の外側面に縦方向に延ばした面ファスナーを取付け（縦方向に複数の面ファスナーを取付けても良い）、前記開閉カバー部７の先端側の内側面に前記面ファスナーと着脱可能な面ファスナーを取付け、互いの面ファスナーの着脱によって、バッグ本体を閉じた状態に保持できるようにしても良い。
【００３１】
同様に、図示してないが、伸縮性を有する輪状の閉じ紐１２に変えて、前記表面部１の外側面に縦方向に複数の雄又は雌のホックを取付け、前記開閉カバー部７の先端側の内側面に前記ホックと着脱可能な雄又は雌のホックを取付け、互いのホックの着脱によって、バッグ本体を閉じた状態に保持できるようにしても良い。
【符号の説明】
【００３２】
１  表面部
２  裏面部
３  収納ポケット
４  仕切りシート部
５  蛇腹状のマチ部
６  蛇腹状の底部
７  開閉カバー部
１０  見出し表示部
Ｂ  バッグ本体
１２  閉じ紐
【図１】
0003199398.tif 000003
【図２】
0003199398.tif 000004
【図３】
0003199398.tif 000005